(57)【要約】【課題】  各部材を保持する主要部材である地板と、地板の上方で平面的に重なる位置に配置され、地板より上方の部材を保持する部材である支持台と、支持台よりも外縁側に位置する部材である支持枠とを構成部材に含み、地板と支持台との結合手段にフックを含む場合、フック近傍では部品を配置する空間が内周方向に減少する。【解決手段】  時計を構成する部材を保持する地板１と、地板１上で平面的に重なる位置に配置し、地板１より上方に配置する部材を保持する支持台２と、支持台２上方で平面的に重なる位置に配置する平板形状のパネル３と、パネル３の外縁部を上方から押えてパネル３を保持するとともに支持台２より外縁部に位置する支持枠４と、地板１と支持台２を結合するフック２ｂを含む時計において、フック２ｂの掛かり部２ｃは地板１の外縁方向に向くように配置する。【選択図】      図１
2008241437.tif 000002
【特許請求の範囲】
【請求項１】
時計を構成する部材を保持する地板と、該地板に平面的に重なる位置に配置し、前記地板より上方に配置する部材を保持するとともに、前記地板に係合するためのフックを有する支持台と、該支持台の上方で平面的に重なる位置に配置する平板形状のパネルと、該パネルの外縁部を上方から押えて前記パネルを保持するとともに前記支持台より外縁部に位置する支持枠とを有し、前記フックの掛かり部を前記地板に係合した時計において、
前記フックの掛かり部は前記地板の外縁方向に向くように配置することを特徴とする時計。
【請求項２】
前記フックの掛かり部に係合する前記支持台の支え部分は、前記フックより外縁側に設けることを特徴とする請求項１に記載の時計。
【請求項３】
前記パネルは、太陽電池パネルまたは液晶表示パネルであることを特徴とする請求項１または請求項２のいずれか１項に記載の時計。
【請求項４】
前記フックの近傍に作動部材を配設することを特徴とする請求項１ないし請求項３のいずれか１項に記載の時計。
【発明の詳細な説明】
【技術分野】
【０００１】
本発明は、時計を構成する部材の結合手段に関し、より詳しくは、部材同士の結合手段にフックを含む場合のフックの配置構造に関するものである。
【背景技術】
【０００２】
図３と図４の断面図を用いて２つの従来技術について説明する。この明細書の実施形態を含む以下の説明において、上方とは図面の紙面の上側を意味し、アナログ時計の場合は文字板側のことである。はじめに、図３を用いて、第１の従来技術を説明する。第１の従来技術は、支持枠３４の内側にフック３２ｂを配設する構造である。
時計は地板３１を中心として各部材を保持結合して構成される。実装部品３６を実装した回路基板３５を保持する地板３１より上方の部材を保持するために、地板３１の上方に別の部材である支持台３２を重ねて配置し、さらに支持台３２の上方に平面的に重なる平板上の部材である太陽電池パネルや液晶表示パネルからなるパネル３３を配置する。
【０００３】
パネル３３は支持台３２に設けた突起３２ｄで下方が支えられるとともに、上方からパネル３３の外縁部と平面的に重なる重なり部分３４ａを有する部材である支持枠３４を支持台３２の外縁部に配置して、パネル３３を保持する。
支持台３２の周囲には、フック３２ｂが設けられており、このフック３２ｂを形成するために支持台３２には開口部３２ｅを設けている。
【０００４】
第１の従来技術は、支持台３２と地板３１とを結合する手段としてフック３２ｂを有する。
そして、支持台３２に形成するフック３２ｂの掛かり部３２ｃをフック３２ｂの内周方向（図３における右側で時計中心方向）に設けている。さらに、フック３２ｂの掛かり部３２ｃと係合する地板３１の支え部分３１ａは、フック３２ｂの内周側に配置している。
【０００５】
つぎに図４を用いて第２の従来技術を説明する。この第２の従来技術は、パネル４３上方の支持枠４４を一部切り欠いてフック４２ｂを外縁部に配設する構造である。
図３と同様に図４では、実装部品４６を実装した回路基板４５を保持する地板４１より上方の部材を保持するために、地板４１の上方に別の部材である支持台４２を重ねて配置し、さらに支持台４２の上方に平面的に重なる平板上の部材である太陽電池パネルや液晶表示パネルからなるパネル４３を配置する。
パネル４３は支持台４２に設けた突起４２ｄで下方を支えられるとともに、上方からパネル４３の外縁部と平面的に重なる重なり部分４４ａを有する部材である支持枠４４を支持台４２の外周部に配置して、パネル４３を保持する。支持台４２の周囲には、フック４２ｂが設けられており、このフック４２ｂを形成するために支持台４２には開口部４２ｅを設けている。
【０００６】
支持台４２と地板４１とを結合する手段としてフック４２ｂを有する。
そして、支持台４２に形成するフック４２ｂの掛かり部４２ｃをフックの内周方向（図４における右側で時計中心方向）に設けている。さらに、支持枠４４を切り欠いて、フック４２ｂを外縁部まで移動させている。
【０００７】
図３や図４に示すフックの配置構造は、たとえば下記の特許文献１、特許文献２に記載されている。
【０００８】
【特許文献１】特開２００２−２２８５６号公報（段落００１２、図１）
【特許文献２】特開２００５−９８７１１号公報（段落０００８、図９）
【発明の開示】
【発明が解決しようとする課題】
【０００９】
図３を用いて説明した第１の従来技術のように、支持台３２に形成するフック３２ｂの掛かり部３２ｃが時計の内周方向にあると、フック３２ｂと係合する地板３１の支え部分３１ａをフック３２ｂの内周側に配置しなければならない。このため、フック３２ｂ近傍領域において、時計を構成する部材を配置する空間が減少する。
たとえば、回路基板３５上の実装部品３６はフック３２と係合する支え部分３１ａから適度な距離を取って配置しなければならない。
【００１０】
また、図４を用いて説明したように、支持枠４４の一部を切り欠いてフック４２ｂを外縁部に配置すれば、フック４２ｂと係合する地板４１の支え部分４１ａも外縁方向に移動して、時計を構成する部材を配置する空間を確保できるが、支持枠４４を切り欠いた部分の強度が不足となる。
たとえば、回路基板４５上に実装した実装部品４６は、図３の実装部品３６より外縁方向に配置できるが、フック４２ｂを外縁部に配置するために、支持枠４４は切りかかれている。この結果、支持枠４４の断面積は大きく減少して、支持枠４４の強度が低下する。
【００１１】
時計という寸法的制約および使用環境の厳しい製品においては、時計内部で部材を配置する空間が減少することや、時計を構成する部材が強度不足になるということは大きな課題である。
【００１２】
本発明の目的は、上記課題を解決して、フックの内側に部品を配置できる空間を確保できるフック配置構造を提供することである。
【課題を解決するための手段】
【００１３】
上記の目的を達成するために、本発明の時計は下記記載の手段を採用する。
本発明の時計は、時計を構成する部材を保持する地板と、該地板に平面的に重なる位置に配置し、前記地板より上方に配置する部材を保持するとともに、前記地板に係合するためのフックを有する支持台と、該支持台の上方で平面的に重なる位置に配置する平板形状のパネルと、該パネルの外縁部を上方から押えて前記パネルを保持するとともに前記支持台より外縁部に位置する支持枠とを有し、前記フックの掛かり部を前記地板に係合した時計において、前記フックの掛かり部は前記地板の外縁方向に向くように配置することを特徴とする。
本発明の時計における前記フックの掛かり部に係合する前記支持台の支え部分は、前記フックより外縁側に設けることを特徴とする。
本発明の時計における前記パネルは、太陽電池パネルまたは液晶表示パネルであることを特徴とする。
本発明の時計における前記フックの近傍に作動部材を配設することを特徴とする。
【発明の効果】
【００１４】
支持台のフックの掛かり部を外縁方向に向くように配置して、地板が支持台のフックを受けて係合する支え部分を支持台のフックより外側の空間に設けることができる。このため、本発明のフック配置構造では、フックの内側に部品を配置する空間を確保できる。
【００１５】
この空間は、支持台のフックを支え部分に係合するときに、一時的にフックが変形する分を逃がすために必要であるが、支持台の固定後には内側に配置する部品の周辺に確保す
る空間として使用できる。
とくに、部材周辺に比較的大きな空間を必要とするレバーなどの作動部材や回路基板の実装部品などがフック近傍に配置される場合に有効である。
【発明を実施するための最良の形態】
【００１６】
以下、図面を使用して本発明の実施形態を説明する。本発明の実施形態においては、２つの実施例があり、その実施例を順次説明する。
【実施例１】
【００１７】
はじめに図面を用いて本発明の第１の実施例を説明する。
図１は本発明の第１の実施例による時計のフック配置構造を示す部分断面図である。図１においては、図面の紙面の右側が内周方向（時計中心内周方向）であり、左側が時計外縁方向である。
【００１８】
時計は地板１を中心として、実装部品６を実装した回路基板５などの各部材を保持結合して構成される。
地板１より上方の部材を保持するために、地板１の上方に別の部材であり樹脂材料からなる支持台２を重ねて配置し、さらに支持台２の上方に平面的に重なる平板上の部材であるパネル３を配置する。このパネル３は、光照射によって起電力を発生する太陽電池パネル、または基板間に液晶材料を挟持して選択的に液晶材料を駆動して所定の情報を表示する液晶表示パネルである。
【００１９】
パネル３は支持台２に設けた突起２ｄで下方を支えられるとともに、上方からパネル３の外縁部と平面的に重なる重なり部分４ａを有する部材である支持枠４を支持台２の外縁部に配置して、パネル３を保持する。
【００２０】
本発明では、支持台２と地板１とを結合する手段としてフック２ｂを含む。このフック２ｂは、地板１に設けた開口１ｂを挿通させる。支持台２に形成するフック２ｂの掛かり部２ｃを時計の外縁方向に向くように設けとともに、フック２ｂと係合する地板１に形成する支え部分１ａをフック２ｂの外縁側に配置する。
【００２１】
フック２ｂと係合する地板１の支え部分１ａをフック２ｂよりも時計の外縁部に配置している。このため、回路基板５上に実装した実装部品６をフック２ｂの内周側に近接して配置でき、従来技術の場合よりフック近傍に部品を配置する空間を確保できる。
【００２２】
また、フック２ｂの内周側の空間の一部は、支持台２と地板１とを係合する際に、フック２ｂの掛かり部２ｃを支え部分１ａの内側に沿って挿入するため、フック２ｂが一時的に逃げるために必要な空間であるが、支持台２と地板１が係合した後は部品を配置するための空間として利用できる。
さらに本発明では、支持枠４は地板１の上端まで形成でき、支持枠４を切り欠くことがないため、支持枠４の強度が低下することは発生しない。
【実施例２】
【００２３】
図２は本発明の第２の実施例による時計におけるフック配置構造を示す部分断面図である。第２の実施例を示す図２においては、第１の実施例と第２の実施例で、共通する構成要素には同一符号を付け、詳細な説明は省略する。図２においても、図面の紙面の右側が内周方向（時計中心方向）であり、左側が時計外縁方向である。
図１との相違点は、フック２ｂの内周側に配置される部材が作動部材７となっている点である。
【００２４】
作動部材７は作動範囲７ａから作動範囲７ｂの間を動作する。フック２ｂの内周側に地板１の支え部分１ａを配置しないため、大きな空間を必要とする作動部材７をフック２ｂ近傍に配置する場合に有効である。
この作動部材７としては、たとえば巻真の引き出し動作やプッシュボタンの押圧動作によって作動するレバー類やクロノグラフのレバー類がある。
【産業上の利用可能性】
【００２５】
本発明の活用例として、ソーラーパネルを発電手段とする時計において、地板の文字板側に配置されるカレンダー機構や液晶パネルを支持台で保持し、ソーラーパネルを支持枠で保持する場合が考えられる。
支持台のフックの掛け部を外縁方向に配置して、時計内部に他の部材を配置するための空間を確保することができる。
【図面の簡単な説明】
【００２６】
【図１】本発明の第１の実施例における時計のフック配置構造を示す断面図である。
【図２】本発明の第２の実施例における時計のフック配置構造を示す断面図である。
【図３】従来技術における時計のフック配置構造を示す断面図である。
【図４】従来技術における時計のフック配置構造を示す断面図である。
【符号の説明】
【００２７】
１、３１、４１  地板
２、３２、４２  支持台
３、３３、４３  パネル
４、３４、４４  支持枠
５、３５、４５  回路基板
６、３６、４６  実装部品
７  作動部材
【図１】
2008241437.tif 000003
【図２】
2008241437.tif 000004
【図３】
2008241437.tif 000005
【図４】
2008241437.tif 000006